(57)【要約】【課題】  風力発電された電力を直接に無駄なくしかも効率よく発光用電力に変換し、風力が弱まって電力不足に陥っても、発光がストップすることなく充電されたダイオードから、次に風力を得られる間、発光させ続けることができる装置の提供。【解決手段】  一個の発電手段を以て、風力発電し、その電力を分割するという手段ではなく、あたかも２個の発電器があるかの如く、１個の１軸発電器において２系統発電をさせ、互いの系統に頼ることなく夫々の発光回路を夫々制御し、発光させ、同時に充電をも行い、無風時においても給電して発光ダイオードを発光させ続けることができる。【選択図】図１
0003120264.tif 000002
【実用新案登録請求の範囲】
【請求項１】
ファン１の応力を伝える発電器回転軸２に接合された発電用永久磁石コア３Ａの中心軸に対して平行に対峙する向きでコイルを巻かれた第１系統誘導起電コイル４と第２系統誘導起電コイル１１を備えた発電器３が発電手段１０を構成し、
発電器３の第１系統誘導起電コイル４において発電された電力を伝える第１系統発電配線路４Ａに整流ダイオード５を設け、整流ダイオード５の（−）側をグランドＧに接続させ、他方の（＋）側を直流発光配線路６Ｄに接続させ、小容量のコンデンサ６を備え、
さらに並列に発光ダイオード７，発光ダイオード８，発光ダイオード９を夫々（＋）側から配設させて、夫々の（−）側をグランドＧに接続させる第１系統発光手段４０を構成し、
発電器３の他方の第２系統誘導起電コイル１１において、発電された電力を伝える第２系統発電配線路１１Ａに整流ダイオード１２を設け、整流ダイオード１２の（−）側をグランドＧに接続させ、他方の（＋）側を直流発光配線路１３Ｄに接続させ、大容量のコンデンサ１３と発光ダイオード１４，発光ダイオード１５を夫々並列に（＋）側から接続させ、夫々の（−）側はグランドＧに接続させることにより第２系統発光手段１１０を構成し、発電した電力を無駄なく効率良く作動充電発光可能な状態になされることを特徴とする風力充電発光装置。
【請求項２】
請求項１において、
発電手段１０の発電器３は、一軸で回転し起電させる発電用永久磁石コア３Ａを中心に挟んで、少なくとも２つ以上の必要数だけ夫々独立に設けた第１系統誘導起電コイル４と第２系統誘導起電コイル１１を対峙させる配設で、起電コイルを備えて、第１系統発電配線路４Ａ，第２系統発電配線路１１Ａを構成する風力充電発光装置。
【請求項３】
請求項１において、
第１系統発光手段４０を構成する整流ダイオード５と直流発光配線路６Ｄは、発光ダイオード７，発光ダイオード８，発光ダイオード９を直接発光に必要な分量の電圧と電流を小容量のコンデンサ６をもってコントロール配設をなしており、第２系統発光手段１１０を構成する整流ダイオード１２と直流発光配線路１３Ｄは、第１系統発光手段４０のコンデンサ６よりはるかに大きな容量を備えたコンデンサ１３を配設してなる風力充電発光装置。
【考案の詳細な説明】
【技術分野】
【０００１】  本考案は、見かけ上、一個の発電器において、夫々独立して発電する２系統の誘導起電コイルを持った発電装置からなる充電発光装置と、直接発光装置の組み合わせによって、コンデンサの大容量部と小容量部の差が生み出す無風力時にも発光し続ける風力充電発光装置に関する。
【背景技術】
【０００２】  発光ダイオード（ＬＥＤ）は、近年広く普及し、実に様々な機器に応用されている。特に、省エネ対策にはもってこいの製品で、信号機，上灯器，照明器から発育器等に利用され、色も三原色揃ったため、映像用にも利用できるようになった。当然、カラフルで省エネであるため、電飾用には欠かすことができなくなり、電池や熱，光，水力，風力等，多種多様な発電シテスムとして利用されている。
【考案の開示】
【考案が解決しようとする課題】
【０００３】  しなしながら、発光ダイオードを使った従来の極小サイズの発光装置は、受給電力を有効に活用されているものが少なく、安易に作られた製品は実用性に乏しくおもちゃ紛いのものばかりであった。
省エネ発光器とは言っても、起電装置が止まると発光しなくなり、充電させるためには専用の発電器が必要であるため、単純設計で発光しながらしかも充電しつつ、起電しなくなっても発光し続ける装置の提供は急務であり、本発明はこのような従来の問題を解決することを課題とする。
【課題を解決するための手段】
【０００４】  請求項１に記載の本考案は、ファン１の応力を伝える発電器回転軸２に接合された発電用永久磁石コア３Ａの中心軸に対して平行に対峙する向きでコイルを巻かれた第１系統誘導起電コイル４と第２系統誘導起電コイル１１を備えた発電器３が発電手段１０を構成し、
発電器３の第１系統誘導起電コイル４において発電された電力を伝える第１系統発電配線路４Ａに整流ダイオード５を設け、整流ダイオード５の（−）側をグランドＧに接続させ、他方の（＋）側を直流発光配線路６Ｄに接続させ、小容量のコンデンサ６を備え、
さらに並列に発光ダイオード７，発光ダイオード８，発光ダイオード９を夫々（＋）側から配設させて、夫々の（−）側をグランドＧに接続させる第１系統発光手段４０を構成し、
発電器３の他方の第２系統誘導起電コイル１１において、発電された電力を伝える第２系統発電配線路１１Ａに整流ダイオード１２を設け、整流ダイオード１２の（−）側をグランドＧに接続させ、他方の（＋）側を直流発光配線路１３Ｄに接続させ、大容量のコンデンサ１３と発光ダイオード１４，発光ダイオード１５を夫々並列に（＋）側から接続させ、夫々の（−）側はグランドＧに接続させることにより第２系統発光手段１１０を構成し、発電した電力を無駄なく効率良く作動充電発光可能な状態になされることを特徴とする風力充電発光装置である。【０００５】  請求項２に記載の本考案は、請求項１において、
発電手段１０の発電器３は、一軸で回転し起電させる発電用永久磁石コア３Ａを中心に挟んで、少なくとも２つ以上の必要数だけ夫々独立に設けた第１系統誘導起電コイル４と第２系統誘導起電コイル１１を対峙させる配設で、起電コイルを備えて、第１系統発電配線路４Ａ，第２系統発電配線路１１Ａを構成する風力充電発光装置である。【０００６】  請求項３に記載の本考案は、請求項１において、
第１系統発光手段４０を構成する整流ダイオード５と直流発光配線路６Ｄは、発光ダイオード７，発光ダイオード８，発光ダイオード９を直接発光に必要な分量の電圧と電流を小容量のコンデンサ６をもってコントロール配設をなしており、第２系統発光手段１１０を構成する整流ダイオード１２と直流発光配線路１３Ｄは、第１系統発光手段４０のコンデンサ６よりはるかに大きな容量を備えたコンデンサ１３を配設してなる風力充電発光装置である。
【考案の効果】
【０００７】  本考案の風力充電発光装置は、複数個の発電コイルを備えた見かけ上は１つの発電器で、実は同時に複数の発電器を運転したときと同じように２系統以上の発電を１個の起電装置の中で行える発電器をもって全発光シテスムを賄うため、一般に行われる前記の複数個発電器による発電ロスや配電障害が起き難い構造をなしている。そのため、構造も単純化し易くコストも安くなり、ＬＥＤ発光器として最良の設計がし易くなる。【０００８】  また、直流発光させるために適度なコンデンサを設けてやれば余計な抵抗器など無くてもＬＥＤは発光し、過受給電による耐圧破壊の心配が無い。
一方では上記のように風力により直接発光をさせてやり、他方の回路においてはコンデンサの容量を大きなものにしてやるだけで発光中に充電が行われ、風力が無くなっても電力は供給され続けるため長く発光し続けることが可能となる。
【考案を実施するための最良の形態】
【０００９】  次に、図面により本考案を実施する最良の形態を説明する。
図１は本考案に係る風力充電発光装置の配線系統図である。図２は図１の配線系統を判り易く２系統に分けて描いたブロック図である。なお、本実施形態では風力充電発光装置として受給電を例に説明するが、本考案は風力以外の発光装置にも同様に適用できる。
図１と図２は同じ配線図であるので、下記説明は図１と図２を同時に行っている。【００１０】  発電手段１０は、ファン１の応力を受けて同軸上で直接回転する発電器回転軸２が発電器３の中央にて発電用永久磁石コア３Ａを回転させ起電する発電装置を有しており、発電器３の発電用永久磁石コア３Ａに並列に対峙させた一対の第１系統誘導起電コイル４と第２系統誘導起電コイル１１が、夫々独立して誘導起電して、２系統発電を同時に行える見かけ上１個の発電器３としている。【００１１】  第１系統誘導起電コイル４から発生した電力は、第１系統発電配線路４Ａを経て途中に設けた整流ダイオード５に供給され直流電流に変換されて直流発光配線路６Ｄに配電され、整流ダイオード５の（＋）側から順番で並列にコンデンサ６，発光ダイオード７，発光ダイオード８，発光ダイオード９が夫々（＋）側から接続され、他方はグランドＧにアースされて第１系統発光手段４０を構成している。
このときコンデンサ６は、発光ダイオード７，発光ダイオード８，発光ダイオード９が発電器３からの電力で直接発するに充分な容量のコンデンサとする。【００１２】  さらに第２系統発光手段１１０の側で発電器３の第２系統誘導起電コイル１１で発生された電力を、第２系統発電配線路１１Ａが受け、第２系統発電配線路１１Ａの端末に整流ダイオード１２を設けて直流電流に変換させ、その（＋）側から供給される電力を直流発光配線路１３Ｄに配電し、直流発光配線路１３Ｄにはコンデンサ１３を配備して有するが、直流発光配線路１３Ｄは第１系統発光手段４０のコンデンサ６よりもさらに大きな容量の充電が可能なコンデンサを配備させることが特徴で、その構成の後方に発光ダイオード１４，発光ダイオード１５が（＋）側から配設されており、（−）側はグランドＧにアースされる。【００１３】  図３は図１，図２の起電，誘電を行う発電器３の説明図であり、２個の発電器を１個に組み込んだ図である。
ファン１は発電器回転軸２と接合しており、その応力を発電用永久磁石コア３Ａに伝える。回転する発電用永久磁石コア３Ａは、回転軸と並列に対峙させた第１系統誘導起電コイル４と第２系統誘導起電コイル１１を両側に備えて、夫々のコイルは独立して巻かれ、非接触となっているため、１個の発電器の中で２系統の発電が同時に行うことができるように構成されている。【００１４】  図４は図１，図２，図３の風力充電発光装置により風力発電発光をする方法の手順を示すフローチャートであり、図１，図２，図３を参照して風力充電発光装置の発光ダイオードが発光する方法を説明する。
先ず、ステップＳ１は発電手段１０のファン１から応力を得て発電器回転軸２が発電用永久磁石コア３Ａを回転させるとき、その回転軸に並列に対峙させた第１系統誘導起電コイル４と第２系統誘導起電コイル１１とが構成する１軸２対巻発電器が発電手段１０を構成し、２系統発光のための配線路に電力を供給する。【００１５】  すると、ステップＳ２−ｂで交流電力が第１系統発電配線路４Ａを経て、ステップＳ３−ｂで整流ダイオード５を介して直流に変換される。ステップＳ４−ｂでは、直流電流が直流発光配線路６Ｄを経てステップＳ５−ｂの小容量の充電コンデンサで電力が安定的に制御されながら、ステップＳ６−ｂで発光ダイオード７，発光ダイオード８，発光ダイオード９にも配電されるため、ステップＳ６−ｂではダイオード７，発光ダイオード８，発光ダイオード９は、ステップＳ１で配電された電力を直接発光させている。【００１６】  一方、ステップＳ１からステップＳ２−ａへと配電された電流は、ステップＳ２−ａで交流電流として第２系統誘導起電コイル１１から第２系統発電配線路１１Ａを経て、ステップＳ３−ａの整流ダイオード１２に配電され、直流電流へと変換され、ステップＳ４−ａで直流発光配線路１３Ｄに（＋）電流が配電されて、ステップＳ５−ａで大容量のコンデンサ１３に充電されるが、残った電力はステップＳ６−ａで直流発光配線路１３Ｄの後方に並列に配設された発光ダイオード１４，発光ダイオード１５に（＋）側から通電して発光する。
ステップＳ１の発電器３が風力を得られなくなったとき、ステップＳ−ｂ系統の発光ダイオードは消灯するが、ステップＳ−ａ系統の発光ダイオードは大容量のコンデンサ１３から給電されて継続発光させる構成をなす。
【図面の簡単な説明】
【００１７】
【図１】  本考案の風力充電発光装置の配線系統図。
【図２】  図１の配線系統を２系統に分けたブロック図。
【図３】  本考案の風力充電発光装置の発電器３の説明図。
【図４】  本考案の風力充電発光装置により風力発電発光をする方法の手順を示すフローチャート。
【符号の説明】
【００１８】  １  ファン
２  発電器回転軸
３  発電器
３Ａ  発電用永久磁石コア
４  第１系統誘導起電コイル
４Ａ  第１系統発電配線路
５  整流ダイオード
６  コンデンサ
６Ｄ  直流発光配線路
７  発光ダイオード
８  発光ダイオード
９  発光ダイオード
【００１９】  １０  発電手段
１１  第２系統誘導起電コイル
１１Ａ  第２系統発電配線路
１２  整流ダイオード
１３  コンデンサ
１３Ｄ  直流発光配線路
１４  発光ダイオード
１５  発光ダイオード
４０  第１系統発光手段
１１０  第２系統発光手段
Ｇ  グランド
【図１】
0003120264.tif 000003
【図２】
0003120264.tif 000004
【図３】
0003120264.tif 000005
【図４】
0003120264.tif 000006